(57)【要約】【課題】  読み取り作業に伴う様々な情報をプラテンガラス表面に明瞭にフルカラーで表示する。【解決手段】  プラテンガラス２の原稿載置面に載置された原稿９を、プラテンガラス２の原稿載置面の反対面側に配置された光学キャリッジ６によって読み取る原稿読取装置に搭載される原稿読取装置用表示装置１であって、プラテンガラス２の原稿載置面側の面又は原稿載置面とは反対側の面に設けられ、垂直方向から入射する入射光を透過し、かつ特定の角度から入射する入射光に対しては可視光領域全体の波長にわたって光を散乱させる、表面が可視光の干渉を生じさせない光制御フィルム４と、光が散乱される照射角度から画像を光制御フィルム４に照射して、当該画像を光制御フィルム４の表面に結像させる光学的画像情報発生装置１２とを備える。【選択図】  図１
2007096959.tif 000002
【特許請求の範囲】
【請求項１】
原稿台ガラスの原稿載置面に載置された原稿を、原稿台ガラスの原稿載置面の反対面側に配置された読取手段によって読み取る原稿読取装置に搭載される原稿読取装置用表示装置であって、
上記原稿台ガラスの原稿載置面側の面又は原稿載置面とは反対側の面に設けられ、垂直方向から入射する入射光を透過し、かつ特定の角度から入射する入射光に対しては可視光領域全体の波長にわたって光を散乱させる、表面が可視光の干渉を生じさせない光制御素子と、
光が散乱される照射角度から画像を上記光制御素子に照射して、当該画像を上記光制御素子の表面に結像させる画像情報発生手段とを備えることを特徴とする原稿読取装置用表示装置。
【請求項２】
原稿を読み取る処理の設定、又は原稿の前記原稿台ガラス上への載置状態を検出する検出手段と、
上記検出手段によって検出された結果に応じた画像をデータ格納手段から読み出して、当該画像を上記画像情報発生手段に照射させる画像選択手段とを備えることを特徴とする請求項１に記載の原稿読取装置用表示装置。
【請求項３】
前記データ格納手段は、原稿を載置すべき位置、原稿の載置に誤りがあった場合の警告、原稿の正しい載置方法の説明、又は連続画像読み取り時の原稿の読み取り枚数を少なくとも含む情報を表示するための画像を保持していることを特徴とする請求項２に記載の原稿読取装置用表示装置。
【請求項４】
前記画像情報発生手段は、前記光制御素子にフルカラーの画像を結像させることを特徴とする請求項１に記載の原稿読取装置用表示装置。
【請求項５】
前記画像情報発生手段は、レーザー光源であることを特徴とする請求項１に記載の原稿読取装置用表示装置。
【請求項６】
請求項１から５のいずれか１項に記載の原稿読取装置用表示装置と、
上記原稿台ガラスと、
上記読取手段とを備えていることを特徴とする原稿読取装置。
【請求項７】
請求項６に記載の原稿読取装置と、
読み取った原稿を印刷する印刷手段とを備えていることを特徴とする複写機。
【請求項８】
さらに、上記検出手段が、上記印刷手段によって印刷する処理の設定を検出するものであり、
上記画像選択手段が、上記検出手段によって検出された印刷する処理の設定に応じた画像を上記データ格納手段から読み出して選択し、当該選択した画像を上記画像情報発生手段に照射させるものであることを特徴とする請求項７に記載の複写機。
【発明の詳細な説明】
【技術分野】
【０００１】
本発明は、複写機やスキャナなどに搭載され、原稿台ガラス上に画像を表示する原稿読取装置用表示装置、及びそれを備えた原稿読取装置並びに複写機に関するものである。
【背景技術】
【０００２】
従来の複写機などにおいて、複写原稿を読み取る機能を有する画像読み取り装置へ単票の複写原稿をセットする場合には、複写原稿を載置する原稿台ガラス（以下プラテンガラスと表記）の一辺、又は直角に交わる二辺に沿って設置されたスケールに原稿を突き当てるのが一般的である。
【０００３】
しかしながら複写原稿用のスケールの目盛りは目に付きにくく、しかも複写原稿の突き当て位置が前述の複写原稿用のスケールに対してセンター基準となる中央合わせであったり、複写原稿奥基準となる端部合わせであったりと複写機の機種によって統一されておらず、原稿の置き位置を誤るケースが頻発していた。
【０００４】
また、単票の複写原稿を手差しの供給紙として複写処理する場合にも、両面印字原稿の設置方向が一般的に操作情報として提示されない、又は複写機の機種毎に原稿設置方向が異なることなどを原因として、複写処理を誤るケースも頻発していた。
【０００５】
そこで、上述の複写処理の誤りを抑えることを目的とした装置がこれまでいくつか考案されてきている。
【０００６】
まず、特許文献１には、光源からの照射光による複写原稿の投影像と予め定められた基準位置との比較によって、複写原稿位置の確認を行うことができる原稿位置決めシート付反射型原稿読取り装置が開示されている。
【０００７】
詳しく説明すると、複写される読み取り原稿を、最初に原稿位置決め用基準マークシートを備えた原稿位置決めシートとプラテンガラスとの間に挟み合わされる状態にして載置する。
【０００８】
そして、読み取り原稿が載置される側をプラテンガラスの表面とした場合のプラテンガラスの裏面に備えられた光源からの照射光によって原稿位置決め用基準マークシートへ上記原稿を投影する。
【０００９】
最後に、原稿位置決め用基準マークシートに投影された上記複写原稿の投影像と原稿位置決め用基準マークシートに記載された基準位置とを比較することによって原稿設置位置の良否を判断するという装置である。
【００１０】
また、特許文献２には、原稿設置位置を示すように整形された光制御フィルムに光を照射することによって光制御フィルム全体を明るく浮き上がらせ、プラテンガラス上に複写原稿の設置位置を表示する画像読み取り装置が開示されている。
【００１１】
詳しく説明すると、プラテンガラス表面、又は裏面に任意の形状に整形・貼り付けされた光制御フィルム、及びプラテンガラス表面に上記光制御フィルムを明るく浮き上がらせるための内蔵光源を画像読み取り装置内部に備えており、上記内蔵光源からの光によって原稿設置位置を示すように整形された光制御フィルムの形状をプラテンガラス上に明るく浮き上がらせ、プラテンガラス表面に視認性に優れた複写原稿の設置位置を表示するものである。
【００１２】
光制御フィルムとは、特定の入射角から照射された光のみを散乱させるフィルムであり、特許文献２に開示の画像読み取り装置における光制御フィルムにおいては複写原稿の設置位置を認知させる形状に整形されている。
【００１３】
さらに、特許文献３には、ホログラフィック素子を用いてプラテンガラス表面に単色の二次元の画像情報を表示可能にする画像読取装置が開示されている。
【００１４】
詳しく説明すると、ホログラフィック素子とプラテンガラスとを別途あるいは一体化させた画像投影板と、画像読取装置内部に設置された光学的な情報発生手段とを備えることによって、プラテンガラス表面に二次元の画像情報を表示可能にするものである。
【００１５】
上記ホログラフィック素子としては、半透鏡のように一定の比率で光線を透過および反射する機能が要求され、特に、ある狭帯域の波長を有する光線に対してのみ優れた回折効率を表す回折格子（透明な凹凸）が有用な素材となる。
【００１６】
このような画像投影板と狭帯域の波長を有する投影光源（単色光源）との併用により、単色の二次元画像をプラテンガラス表面に表示する。その結果、オペレータが認識できる。
【００１７】
画像投影板の表示素子として用いられる特許文献３に開示の画像読取装置における上記ホログラフィック素子は、情報発生手段の画像投影光を受光し、オペレータへ視認させる機能の他に、原稿の読み取り光を透過させる機能も有している。
【特許文献１】特開平１０−３２２５２４号公報（平成１０年１２月４日公開）
【特許文献２】特開２００３−２９３５５号公報（平成１５年１月２９日公開）
【特許文献３】特開平３−９３８３号公報（平成３年１月１７日公開）
【発明の開示】
【発明が解決しようとする課題】
【００１８】
しかしながら、特許文献１に開示の上記従来の原稿位置決めシート付反射型原稿読取り装置では、複写する原稿を更新する度に改めて原稿位置決め用基準マークシートとプラテンガラスとの間に原稿を挟み込み、原稿の位置確認を行う必要がある。
【００１９】
上記位置確認は原稿の読み取りを行うオペレータにとって手間のかかる作業であり、煩わしさを感じさせることになる。
【００２０】
さらに、複数枚の原稿に対して上記位置確認をしながら上記原稿の読み取りを行う場合には、原稿の読み取り作業に非常に時間がかかる。従って、原稿の読み取り作業の大幅な効率低下を生じさせるという問題点を有している。
【００２１】
また、複写原稿の厚さにばらつきの生じるブックタイプの原稿に対しては、原稿位置決め用基準マークシートがブックタイプの原稿の厚さのばらつきによって歪むために原稿位置決め用基準マークシートを正しく配置できない。従って、複写原稿の位置確認作業が困難となる。
【００２２】
さらに、原稿位置決め用基準マークシートに描かれる複写原稿の定型サイズの輪郭は、複写原稿の読み取り情報に影響を与えない白色の色材によって構成される必要性があることから、上記輪郭は上記原稿読取り装置の操作者にとって非常に認識困難な表示色であるという問題点を有している。
【００２３】
また、特許文献２に開示の画像読み取り装置の光学系には光制御フィルムにビットマップ描画する機能がない(光を全面照射する能力しかない)ため、プラテンガラスの表面に表示すべき情報を光制御フィルムの形状によって表さなければならない。
【００２４】
つまり、上記構成では表示する情報を増やすたびにプラテンガラス上に上記光制御フィルムを貼り付ける面積を拡げていく必要があり、伝達すべき必要な情報量が多くなれば、上記情報の全てをプラテンガラス上に表示することは不可能である。
【００２５】
さらに、特許文献３に開示の画像読取装置では、投影光を結像させるホログラフィック素子がある狭帯域の周波数の光に対してのみ高い回折効率を表す（つまり結像する）素子であることから、いわゆる単波長の光のみでしか像を形成できない。
【００２６】
このため、プラテンガラス表面へ表示される画像は単色画像に限られてしまい、任意のカラー表示を行うことができない。
【００２７】
また、特許文献３に開示の画像読取装置の構成では、複写原稿の読み取り光がホログラフィック素子を常に透過することになる。
【００２８】
従って、フルカラーの複写原稿を読み取る場合には、複写原稿の読み取り光の一部は、ある狭帯域の周波数の光を回折するホログラフィック素子によって必然的に散乱され、受光部へ届かなくなる。この現象は、白黒画像の場合は問題とならないが、フルカラーの複写原稿を読み取る場合には、ホログラフィック素子に照射された光と波長の同じ色のカラー画像が、複写原稿から読み取られないという問題を生じる。
【００２９】
また、オペレータの作業性を鑑みるに、オペレータに画像読み取り装置から与えられる情報は、原稿の設置位置の他に、原稿の載置に誤りがあった場合の警告、原稿の正しい設置方法の表示、及び手差し複写時の原稿の上下方向の指示などの情報提示も望まれる。
【００３０】
本発明は、上記従来の問題点に鑑みなされたものであって、その目的は、様々な情報をプラテンガラス表面に明瞭にフルカラーで表示することが可能である原稿読取装置用表示装置及びそれを備えた原稿読取装置並びに複写機を提供することにある。
【課題を解決するための手段】
【００３１】
本発明に係る原稿読取装置用表示装置は、上記課題を解決するために、原稿台ガラスの原稿載置面に載置された原稿を、原稿台ガラスの原稿載置面の反対面側に配置された読取手段によって読み取る原稿読取装置に搭載される原稿読取装置用表示装置であって、上記原稿台ガラスの原稿載置面側の面又は原稿載置面とは反対側の面に設けられ、垂直方向から入射する入射光を透過し、かつ特定の角度から入射する入射光に対しては可視光領域全体の波長にわたって光を散乱させる、表面が可視光の干渉を生じさせない光制御素子と、光が散乱される照射角度から画像を上記光制御素子に照射して、当該画像を上記光制御素子の表面に結像させる画像情報発生手段とを備えることを特徴としている。
【００３２】
上記の構成によれば、特定の入射角度からの入射光は上記原稿台ガラス（プラテンガラス）に設けられた光制御素子によって散乱されることから光制御素子を透過せず、光制御素子の表面に像を形成する。
【００３３】
また、上記光制御素子は上記原稿台ガラス表面又は裏面に備えられており、上記原稿台ガラスは原稿を載置するための透明なものであることから、上記光制御素子の表面に上記入射光によって形成される画像は、上記原稿台ガラスを透過して上記原稿台ガラスの表面にも結像されているように視認される。
【００３４】
上記原稿台ガラスの表面に結像されるよう視認される画像は、照射された光であることから、上記原稿台ガラスの表面に明るく浮き上がるように視認される。
【００３５】
よって、明るく浮き上がる画像は視認しやすく、浮き上がった画像に合わせるだけで原稿の位置確認作業を容易に行うことが可能になる。
【００３６】
また、上記反対面側に設置される画像情報発生手段によって、入射光が散乱される照射角度から画像を上記光制御素子に照射し、上記光制御素子の表面に上記画像を直接結像させる。
【００３７】
よって、照射する上記画像自体の大きさ、又は上記画像情報の内容自体を切り替えるなどをしさえすれば、限られた範囲内でも自由に原稿台ガラスの表面に表示する情報量を増やすことが可能である。
【００３８】
つまり、原稿の載置時の位置決めを手助けするための原稿の位置決め用基準マークをはじめ、読み取り作業に伴う様々な画像を光制御素子に結像し、原稿台ガラスの表面に表示することも可能となる。
【００３９】
また、光制御素子は、特定の角度から入射する入射光に対しては可視光領域全体の波長にわたって光の波長を散乱させるものである。
【００４０】
よって、垂直方向から入射する入射光は透過し、特定の角度から入射する入射光に対しては散乱させる上記光制御素子の機能は、可視光領域全体の波長にわたって等しく作用することが可能である。
【００４１】
従って、上記特定の角度から画像情報発生手段によって照射する画像をフルカラーにした場合、光制御素子によって可視光領域全体の波長の光が散乱されるので、光制御素子に可視光領域のすべての波長の光が結像される。
【００４２】
つまり、フルカラーの画像が光制御素子に結像されることになる。よって、フルカラーの画像を原稿台ガラスの表面に表示することも可能になる。
【００４３】
また、光制御素子の表面が可視光の干渉を生じないことから、原稿に対して垂直な方向から原稿の読み取り光によって原稿の読み取りを行う場合に、読み取り光に可視光を用いても光制御素子によって可視光の干渉が生じない。
【００４４】
可視光の干渉が生じないということはフルカラーの原稿を正確に読み取ることができることを意味する。
【００４５】
つまり、本発明の原稿読取装置用表示装置はフルカラーの原稿の読み取りに支障をきたさない。
【００４６】
その結果、様々な情報を原稿台ガラス表面に明瞭にフルカラーで表示することが可能である原稿読取装置用表示装置及びそれを備えた原稿読取装置並びに複写機を提供することができる。
【００４７】
また、本発明の原稿読取装置用表示装置では、原稿を読み取る処理の設定、又は原稿の前記原稿台ガラス上への載置状態を検出する検出手段と、上記検出手段によって検出された結果に応じた画像をデータ格納手段から読み出して、当該画像を上記画像情報発生手段に照射させる画像選択手段とを備えることが好ましい。
【００４８】
これにより、検出手段によって検出される少なくとも原稿を読み取る処理の設定、又は原稿の原稿台ガラス上への載置状態に応じた画像が、上記画像選択手段によって上記データ格納手段に収納されている画像の中から選択され、上記画像情報発生手段によって照射される。
【００４９】
よって、少なくとも原稿を読み取る処理の設定、又は原稿の原稿台ガラス上への載置状態に応じた画像を光制御素子に結像し、原稿台ガラス表面に表示できる。
【００５０】
従って、原稿台ガラスを目の前にして読み取り作業を行うオペレータは、原稿台ガラスの表面に載置した原稿に重ねて、原稿を読み取る処理の設定、又は原稿の上記原稿台ガラス上への載置状態に応じた画像を認識することが可能となる。
【００５１】
その結果、原稿読取装置の操作と実際の原稿の読み取り処理との対応付けが明確となるだけではなく、原稿そのものと相対した読み取りに関する作業情報が得られるため、読み取り時の誤操作を極力防ぐことが可能となる。
【００５２】
また、本発明の原稿読取装置用表示装置では、前記データ格納手段は、原稿を載置すべき位置、原稿の載置に誤りがあった場合の警告、原稿の正しい載置方法の説明、又は連続画像読み取り時の原稿の読み取り枚数を少なくとも含む情報を表示するための画像を保持していることが好ましい。
【００５３】
これにより、少なくとも原稿を載置すべき位置、原稿の載置に誤りがあった場合の警告、原稿の正しい載置方法の表示、手差し複写時の原稿の上下方向、又は連続画像読み取り時の原稿の読み取り枚数の情報を含む画像を原稿台ガラス表面に表示できる。
【００５４】
よって、原稿台ガラスを目の前にして読み取り作業を行うオペレータは、原稿台ガラスの表面に載置した原稿に重ねて、少なくとも原稿を載置すべき位置、原稿の載置に誤りがあった場合の警告、原稿の正しい載置方法の表示、又は連続画像読み取り時の原稿の読み取り枚数の情報を認識することが可能となる。
【００５５】
その結果、原稿読取装置の操作と実際の原稿の読み取り処理との対応付けが明確となるだけではなく、原稿そのものと相対した読み取りに関する作業情報が得られるため、読み取り時の誤操作を極力防ぐことが可能となる。
【００５６】
また、本発明の原稿読取装置用表示装置では、前記光制御素子にフルカラーの画像を結像させることが好ましい。
【００５７】
これにより、可視光領域全体の波長にわたって垂直方向から入射する入射光は透過され、特定の角度から入射する入射光は散乱される。
【００５８】
従って、上記特定の角度から上記画像情報発生手段によってフルカラーの画像を光制御素子に照射すれば、光制御素子によって可視光領域全体の波長の光が散乱されるので、光制御素子に可視光領域のすべての波長の光が結像される。
【００５９】
つまり、フルカラーの画像が光制御素子に結像される。
【００６０】
光制御素子に結像されるフルカラーの画像は原稿台ガラスの表面に結像しているように視認されるため、フルカラーの画像が原稿台ガラスの表面に表示される。
【００６１】
一般的に単色の画像よりもフルカラーの画像の方が明瞭に視認されやすいため、明瞭かつ認識されやすい形で画像を提示することが可能になる。
【００６２】
また、本発明の原稿読取装置用表示装置では、前記画像情報発生手段は、レーザー光源であることが好ましい。
【００６３】
これにより、レーザー光源は光照射に伴う発熱が小さいため、上記画像情報発生手段に対する排熱処理に要する部材の設置が不要になる。従って、周辺機構を含めた画像情報発生手段を小型に構成できる。
【００６４】
また、本発明の原稿読取装置では、前記の原稿読取装置用表示装置と、上記原稿台ガラスと、上記読取手段とを備えていることが好ましい。
【００６５】
これにより、様々な情報を原稿台ガラス表面に明瞭にフルカラーで表示することが可能である原稿読取装置及び複写機が実現できる。
【００６６】
また、本発明の複写機では、前記原稿読取装置と、読み取った原稿を印刷する印刷手段とを備えていることが好ましい。
【００６７】
これにより、様々な情報を原稿台ガラス表面に明瞭にフルカラーで表示することが可能である複写機が実現できる。
【００６８】
また、本発明の複写機では、さらに、上記検出手段が、原稿を複写する処理の設定を検出するものであり、上記画像選択手段が、上記検出手段によって検出された原稿を複写する処理の設定に応じた上記画像を上記データ格納手段から読み出して選択し、当該選択した上記画像を上記画像情報発生手段にから照射させるものであることが好ましい。
【００６９】
これにより、上記検出手段によって検出される原稿を複写する処理の設定に応じた画像が、上記画像選択手段によって上記データ格納手段に収納されている画像の中から選択され、上記画像情報発生手段によって照射される。
【００７０】
よって、原稿を複写する処理の設定に応じた画像を光制御素子に結像し、原稿台ガラス表面に表示できる。
【００７１】
従って、上記原稿台ガラスを目の前にして複写作業を行うオペレータは、上記原稿台ガラスの表面に載置した原稿に重ねて、原稿を読み取る処理の設定に応じた画像をさらに認識することが可能となる。
【００７２】
その結果、複写機の操作と実際の原稿の複写処理との対応付けが明確となるだけではなく、原稿そのものと相対した複写に関する作業情報が得られるため、複写時の誤操作を極力防ぐことが可能となる。
【発明の効果】
【００７３】
本発明の原稿読取装置用表示装置は、以上のように、原稿台ガラスの原稿載置面に載置された原稿を、原稿台ガラスの原稿載置面の反対面側に配置された読取手段によって読み取る原稿読取装置に搭載される原稿読取装置用表示装置であって、上記原稿台ガラスの原稿載置面側の面又は原稿載置面とは反対側の面に設けられ、垂直方向から入射する入射光を透過し、かつ特定の角度から入射する入射光に対しては可視光領域全体の波長にわたって光を散乱させる、表面が可視光の干渉を生じさせない光制御素子と、光が散乱される照射角度から画像を上記光制御素子に照射して、当該画像を上記光制御素子の表面に結像させる画像情報発生手段とを備えることを特徴とするものである。
【００７４】
それゆえ、特定の入射角度からの入射光は光制御素子によって散乱されることから光制御素子を透過せず、光制御素子の表面に画像を形成可能となり、光制御素子の表面に入射光によって形成される画像は、原稿台ガラスの表面にも結像されているように視認される。
【００７５】
上記画像は、照射された光であることから、原稿台ガラスの表面に明るく浮き上がるように視認される。
【００７６】
また、浮き上がった画像に合わせるだけで原稿の位置合わせを行うことが可能であることから原稿の位置確認作業を容易に行うことが可能になる。
【００７７】
また、本発明の原稿読取装置用表示装置では光制御素子に画像を結像させることから、照射する画像自体の大きさ、又は画像の内容自体を切り替えるなどしさえすれば、限られた範囲内でも自由に原稿台ガラス上に表示する情報量を増やすことが可能である。
【００７８】
つまり、原稿の載置時の位置決めを手助けするための原稿の位置決め用基準マークをはじめ、読み取り作業に伴う様々な画像を光制御素子に結像し、原稿台ガラスの表面に表示することも可能となる。
【００７９】
また、垂直方向から入射する入射光は透過し、特定の角度から入射する入射光に対しては散乱させる光制御素子の機能は、可視光領域全体の波長にわたって等しく作用することが可能であることから、フルカラーの画像を原稿台ガラスの表面に表示することも可能になる。
【００８０】
また、光制御素子の表面が可視光の干渉を生じないことから、原稿に対して垂直な方向から原稿の読み取り光によって原稿の読み取りを行う場合に、読み取り光に可視光を用いても光制御素子によって可視光の干渉が生じず、フルカラーの原稿を正確に読み取ることができる。
【００８１】
つまり、本発明の原稿読取装置用表示装置はフルカラー原稿の読み取りに支障をきたさない。
【００８２】
したがって、様々な情報を原稿台ガラス表面に明瞭にフルカラーで表示することが可能である原稿読取装置用表示装置及びそれを備えた原稿読取装置並びに複写機を提供するという効果を奏する。
【発明を実施するための最良の形態】
【００８３】
〔実施の形態１〕
本発明の一実施形態について図１ないし図５に基づいて説明すれば、以下の通りである。
【００８４】
図１ないし図４を用いて本実施の形態における原稿読取装置用表示装置１の概要を説明する。
【００８５】
図１は、原稿読取装置用表示装置１の実施の一形態の概要を示す断面図であり、図２は表示制御部５の構成を示す図であり、図３は本実施の形態における原稿読取装置用表示装置１の要部斜視図であり、図４は光制御フィルム（光制御素子）４の機能を説明する図である。
【００８６】
本実施の形態における原稿読取装置用表示装置１では、図３に示すように、原稿読取装置用表示装置１の箱型ケーシング８の上面に長方形輪郭のガラス板からなるプラテンガラス（原稿台ガラス）２が取り付けられており、このプラテンガラス２上に画像を下向きにして載置された原稿９が、箱型ケーシング８内を往復運動するよう設置された原稿９の読み取り部材である光学キャリッジ（読取手段）６によって読み取られる。
【００８７】
原稿９の読み取り部である光学キャリッジ６は図３には図示されていないが、プラテンガラス２の一辺に沿って配置された原稿スケール３ａのＹ方向に沿って延在する発光素子、レンズ等からなる光照射素子と、同じくＹ方向に配列されたＣＣＤ（Charge Coupled Devices）に代表される受光素子等より成るスキャナに使用されるセンサーであるラインイメージセンサから成り、このＹ方向に沿って延在するセンサー全体はＸ方向へ移動可能な構造となっている。なお、光学キャリッジ６は周知のものが利用できる。
【００８８】
また、光学キャリッジ６は、プラテンガラス２上に置かれた原稿９を原稿スケール３ｂ方向に沿って連続的にデジタルデータとして読み取るものである。
【００８９】
プラテンガラス２の直交する二辺に設置された原稿スケール３ａ・３ｂは、原稿９の載置位置の基準を表す部材であって、従来より公知の構成をなすものである。
【００９０】
そして、原稿スケール３ａ・３ｂには図中の下向きの中抜き三角（▽）、及び右向きの中抜き三角によって示されているように、原稿９の載置位置の左右方向、及び上下方向の基準を示すマーカーとＢ４、Ｂ５、Ａ３、Ａ４等の原稿サイズに応じたマーカーとが設けられている。
【００９１】
上述の構成に追加して、原稿９の設置位置の表示、原稿９の連続画像読み取り時の読み取り枚数などの読み取り、又は複写作業に係わる情報をプラテンガラス２表面に表示できるようにプラテンガラス２裏面に光制御フィルム４が貼り付けられている。
【００９２】
光制御フィルム４は特殊な光学機能を持つ高分子フィルムで、入射する光の角度により透過光を直進から散乱へと、偏光させる機能を持つ。
【００９３】
また、可視光領域全体の波長にわたって上記の偏光を行う特性を有している。
【００９４】
上述の機能を有する代表的な高分子フィルムとして、住友化学（ＳＵＭＩＰＥＸ）社が製造・販売している視界制御フィルム「ルミスティ（商品名）」、ＤＥＮＳＯ社が販売している「グラスビジョン（商品名）」などがある。
【００９５】
光制御フィルム４の特殊な光学機能によって、例えば、原稿９の設置位置の表示、原稿９の連続画像読み取り時の読み取り枚数などの読み取り、又は複写作業に係わる情報といった表示情報１０が、図３に示すようにプラテンガラス２上に表示される。
【００９６】
さらに、光制御フィルム４をプラテンガラス２の裏面に備えているが、必ずしもこれに限定されず、例えば、光制御フィルム４をプラテンガラス２の表面又は、両面に備えることも可能である。
【００９７】
また、光制御フィルム４がプラテンガラス２に貼り付けられる範囲は原稿９の載置位置を含むプラテンガラス２全面、あるいはプラテンガラス２の一部としても構わない。
【００９８】
光制御フィルム４の貼り付けられる範囲が広くなるほど画像を結像できる範囲が広くなる。そして、上記画像を結像できる光制御フィルム４の範囲が広くなるほど、表示する画像内容を増やすことが可能となる。
【００９９】
図４を用いて光制御フィルム４の機能について詳しい説明を行う。
【０１００】
まず、オペレータＰは後述の光学的画像情報発生装置（画像情報発生手段）１２から照射される光によって光制御フィルム４に結像される画像、つまりプラテンガラス２の表面に表示される画像を視認して原稿９の複写の処理を行う人物である。
【０１０１】
続いて、図４中に示されている部材の説明を行う。
【０１０２】
発光素子１７は可視光Ｒ（赤）Ｇ（緑）Ｂ（青）の発光をする素子である。発行素子１７は光制御フィルム４の機能を説明するために例示したものであって、具体的に光学的画像情報発生装置１２を指すものではない。
発光素子１７から照射角度１８と照射角度１９との二方向に光が照射された時の光制御フィルム４表面での光の見え方を図４では示している。
【０１０３】
照射角度１８は光制御フィルム４に対して垂直に照射される光路であり、照射角度１９は光制御フィルム対して３５度の角度で照射される光路である。オペレータＰは光制御フィルム４に対して４５度の角度から視認することとする。
【０１０４】
照射角度１８では、光は光制御フィルム４を透過するため、まったく認識されない。
【０１０５】
一方、照射角度１９では、光は光制御フィルム４によって散乱され、光制御フィルム４表面に照射光が結像される。そして、オペレータＰに光の存在が視認される。
【０１０６】
この様に、特定の入射角から投射される光だけが、光制御フィルム４表面に像を形成することが可能となる。
【０１０７】
また、このような機能は可視光領域全体の波長に渡って等しく作用することが可能であるため、フルカラー画像を光制御フィルム４に結像可能となる。
【０１０８】
従って、フルカラー画像を光制御フィルム４と接したプラテンガラス２上に表示可能となる。
【０１０９】
なお、光制御フィルム４は、垂直方向から入射する入射光の９０％以上を透過し、かつ、図１に表される角度で∠ａ＝２５度から∠ｂ＝５５度の間の角度（特定の角度）からの入射光に対しては８０％以上を散乱するものであるが、必ずしもこれに限定されない。
【０１１０】
また、オペレータＰの鉛直方向への視線と光制御フィルム４の手前側の端への視線との間の角度が∠ａであって、オペレータＰの鉛直方向への視線と光制御フィルム４の奥側の端への視線との間の角度が∠ｂである。
【０１１１】
例えば、入射光を散乱する角度、つまりプラテンガラス表面に表示された情報を視認可能な角度は、オペレータＰの目線高さ及び立ち位置、プラテンガラス２の設置高さなどによって決定される。
【０１１２】
プラテンガラス表面に表示された情報を視認可能な角度の最適値はオペレータＰの目線高さ及び立ち位置によって異なるが、図１に表される角度で∠ａ＝１５度から∠ｂ＝６０度の範囲に収まる。
【０１１３】
従って、オペレータＰの目線高さ及び立ち位置に関係なくプラテンガラス表面に表示された情報を視認できる最も好ましい角度は∠ａ＝１５度以上かつ∠ｂ＝６０度以下の範囲内となる。
【０１１４】
次に、図１を用いて上記プラテンガラス２の下方に設置された光学キャリッジ６と光学的画像情報発生装置（画像情報発生手段）１２、投影画像反射鏡１３、及び原稿読取装置用表示装置１のオペレータＰの視点１１との関係を説明する。
【０１１５】
原稿９を読み取るために設置された光学キャリッジ６から照射、及び原稿９に反射されて光学キャリッジ６に受光される光、つまり光制御フィルム４に対して垂直方向に出入りする光は、光制御フィルムで散乱されることなくプラテンガラス２をほぼ全て透過する。
【０１１６】
よって、フルカラーの原稿９の場合を含め、原稿９の読み取り動作にはなんの支障も与えない。
【０１１７】
また、光制御フィルム４そのものの表面形状は可視光の干渉を生じないレベルで幾何学的にフラットであるため、光制御フィルム４に対して垂直方向に光が出入りする場合には光の干渉は生じない。
【０１１８】
従って、原稿９の読み取り光が干渉されることがないため原稿９の読み取り動作には支障がない。
【０１１９】
一方、オペレータＰの視点１１の位置に入射する光は、プラテンガラス２と接して一体と成った光制御フィルム４で散乱される。
【０１２０】
光制御フィルム４に結像可能な有効画角は、図１に示されている視野角度７であり、∠ａ＝２５度から∠ｂ＝５５度の範囲内に位置する目線の角度である。
【０１２１】
上記有効画角の範囲内の視野角度７であれば、オペレータＰはプラテンガラス２上に画像を視認することができる。
【０１２２】
２次元の光学的画像情報を投射する光学的画像情報発生装置１２から照射される光は、図１中に示すように、その後段に備えられた投影画像反射鏡１３に反射して、プラテンガラス２に貼り付けられた光制御フィルム４に結像する。
【０１２３】
結像した光はオペレータＰの視線の範囲内で拡散するため、オペレータＰはプラテンガラス２の表面に光学的画像情報発生装置１２から照射された光による画像を認識することが可能となる。
【０１２４】
また、プラテンガラス２の下方に設置された光学的画像情報発生装置１２は、いわゆるビデオプロジェクターと呼ばれる周知の光学画像投影装置である。
【０１２５】
一般的には上記光学的画像情報発生装置１２は、照射光の光変調方式によって、液晶を用いた「透過型」のもの、又はマイクロミラーデバイスを用いた「反射型」のものなどから構成されるが、本発明の適用範囲はこのような光変調装置を用いたプロジェクターに限定されるものではない。
【０１２６】
なお、光学的画像情報発生装置１２はフルカラーの画像を照射しても良い。
【０１２７】
上記の構成を本発明の原稿読取装置用表示装置１に用いた場合、光制御フィルム４の光散乱は可視光領域全体の波長にわたって等しく作用することが可能であるため、フルカラー画像がプラテンガラス２の表面に結像・表示される。
【０１２８】
次に、図２及び図５用いて原稿読取装置用表示装置１において、光学的画像情報発生装置１２によって光制御フィルム４に結像される画像を切り替える場合の説明を行う。
【０１２９】
上記切り替えは図１に示した表示制御部（表示制御手段）５によって行われる。最初に、表示制御部５の詳しい構成を図２を用いて説明する。
【０１３０】
表示制御部５には検出部（検出手段）１４、データ格納部（データ格納手段）、及び画像選択部（画像選択手段）１６が備えられている。
【０１３１】
検出部１４は、オペレータＰによって行われる原稿９を読み取る処理の設定、又は原稿９のプラテンガラス２上への載置状態（位置、大きさなど）を検出するものである。
【０１３２】
また、データ格納部１５は、原稿９を読み取る処理の設定、又は原稿９のプラテンガラス２上への載置状態に関連付けられたデータが格納されているものである。
【０１３３】
そして、画像選択部１６は、検出部１４での検出結果に応じた画像をデータ格納部１５から選択し、選択した画像を光学的画像情報発生装置１２から照射させるものである。
【０１３４】
なお、表示制御部５を備えているが、必ずしもこれに限定されない。例えば、表示制御部５を備えず、予め固定された画像を光学的画像情報発生装置１２によって光制御フィルム４に結像することも可能である。この場合固定された画像として、Ａ４、Ａ３そしてＢ５、Ｂ４などの原稿９の大きさ枠を表す、ライン状の表示が有効であろう。
【０１３５】
次に、図５を用いて光制御フィルム４に画像を結像する場合の実行フローについて説明する。
【０１３６】
図５は本実施の形態におけるプラテンガラス２上に画像を照射する場合の実行フローを示したフローチャート図である。
【０１３７】
上記フローチャートの各ステップは、原稿読取装置用表示装置１内に組み込まれた図１、及び図２に示す表示制御部５において、原稿読取装置用表示装置１の電源が入っている限り繰り返して実行されるものである。
【０１３８】
プラテンガラスカバー２０の開閉と原稿９のプラテンガラス２上への載置の有無の状態を表すステータスは２ビットの信号を用いて表現され、下位ビットはプラテンガラスカバー２０の開閉状態、上位ビットは原稿９の有無を意味する。つまり、プラテンガラスカバー２０が閉じている状態では“０”、そして開いている状態では“１”と表現される。
【０１３９】
また、プラテンガラス２上に原稿９が載置された状態では“１”、原稿９が載置されていない状態では“０”となる。上位ビット及び下位ビットが“１０”と表現された状態は、プラテンガラス２上に原稿９があり、プラテンガラスカバー２０が閉じていることを意味する。以降このステータスの表現を“制御ビット”と記す。
【０１４０】
最初に、上記フローチャートの制御が開始（Ａ）されると、原稿読取装置用表示装置１は内部に設置された公知の光学センサーから成る検出部１４によって、プラテンガラスカバー２０の開閉状態をチェックし、ステップＳ１（Ｓ１）の分岐を判断する。
【０１４１】
ステップＳ１の検出結果において制御ビットが“００”又は“１０”である場合（ステップＳ１で００、又は１０）、つまり原稿９の有無に関係なく、検出部１４が、プラテンガラスカバー２０が閉じていると判断した場合は、プラテンガラス２表面への画像情報の表示が消灯され、ステップＳ１のステップを繰り返す事となる。
【０１４２】
ステップＳ１の検出結果において制御ビットが“０１”である場合、つまり原稿９が無く、プラテンガラスカバー２０が開いていると検出部１４が判断した場合は（ステップＳ１で０１）、ステップＳ１の分岐を抜けてステップＳ２（Ｓ２）に移る。
【０１４３】
ステップＳ２では、データ格納部１５に納められている固定された画像情報を画像選択部１６が読み取り、光学的画像情報発生装置１２を介してプラテンガラス２の表面に画像情報が表示される。
【０１４４】
続いてステップＳ３（Ｓ３）では、検出部１４がプラテンガラス２上の原稿９に関するチェックを行う。
【０１４５】
検出部１４は原稿９の有無のみを検出し、原稿９が存在した場合の制御ビットは“１１”に、原稿が存在しない場合の制御ビットは“０１”とする。制御フローはステップＳ３でのチェックの実行後にステップＳ１に戻され、再びステップＳ１で検出部１４がステータスをチェックする。
【０１４６】
ステップＳ１での検出結果において制御ビットが“１１”である場合、つまり原稿９があり、プラテンガラスカバー２０が開いていると検出部１４が判断した場合は（ステップＳ１で１１）、ステップＳ４（Ｓ４）に移る。
【０１４７】
ステップＳ４では、オペレータＰの命令状態が参照され、その命令に応じて有効と判断される情報がプラテンガラス２に表示される。
【０１４８】
複写機を操作する際のオペレータＰの命令を具体的に示すと、原稿の拡大・縮小命令、多部数の複写、紙供給口の指定などである。
【０１４９】
例えば、Ａ４用紙の原稿をＡ３用紙に拡大複写する場合、ステップＳ４では画像選択部１６が複写に関する命令を参照し、拡大複写命令αを受け取る。同時に、検出部１４から原稿の置き方に関する情報βを受け取る。そこで拡大複写命令αの時の原稿設置条件γをデータ格納部１５から引き出し（上書き）、γとβとを比較する。
【０１５０】
γとβとの間に相違があれば、ステップＳ５（Ｓ５）へ移り、画像選択部１６がデータ格納部１５から適切な表示データ（例えば、正しい原稿設置位置の表示又は原稿載置の修正を促すメッセージ）を読み取り、プラテンガラス２に上記表示データを表示させる。
【０１５１】
また、画像選択部１６は、γとβとの間に相違がなければ、複写開始を促すメッセージを同様な判断経路を辿って表示させる。
【０１５２】
ステップＳ１からＳ５を回るルーチンは、原稿読取装置用表示装置１の電源が入っている限り繰り返して実行されるものである。
【０１５３】
この結果、プラテンガラスカバー２０、原稿９の設置状態、オペレータＰからの複写命令などを検出部１４が判断し、表示制御部５に内在されるデータ格納部１５から適切な画像情報を画像選択部１６が読み取り、光学的画像情報発生装置１２を使用してプラテンガラス２の表面に、オペレータＰの作業をアシストする情報が表示される。
【０１５４】
なお、上記画像としての表示情報とは、画像データとしてデータ格納部１５に格納され画像として照射されるものであっても、文字データとしてデータ格納部１５に格納され画像として照射されるものであってもよい。
【０１５５】
また、表示される画像には、より具体的に原稿９を載置すべき位置、原稿９の載置に誤りがあった場合の警告、原稿９の正しい載置方法の表示、又は連続画像読み取り時の原稿９の読み取り枚数、手動で両面印刷をする時の原稿設置方向の情報等がある。
【０１５６】
以上の構成によれば、プラテンガラス２に貼り付けられた光制御フィルム４は、垂直方向から入射する入射光を透過することから、垂直方向からの入射光に対しては透明な光制御フィルム４として作用する。
【０１５７】
一方、光制御フィルム４は特定の角度から入射する入射光に対しては散乱させることから、特定の入射角度からの入射光に対しては不透明な光制御フィルム４として作用する。
【０１５８】
つまり、特定の入射角度からの入射光は光制御フィルム４によって散乱されることから光制御フィルム４を透過せず、不透明な光制御フィルム４の表面に像を形成可能となる。
【０１５９】
また、光制御フィルム４はプラテンガラス２の表面又は裏面に備えられており、プラテンガラス２は原稿９を読み取るための透明なガラス板であることから、光制御フィルム４の表面に上記入射光によって形成される像は、プラテンガラス２を透過してプラテンガラス２の表面にも結像されているように視認される。
【０１６０】
プラテンガラス２の表面に結像されるよう視認される画像は、照射された光であることから、プラテンガラス２の表面に明るく浮き上がるように視認される。
【０１６１】
よって、明るく浮き上がる画像は視認しやすく、浮き上がった画像に合わせるだけで原稿９の位置合わせを行うことが可能なことから、原稿９の位置確認作業を容易に行うことが可能になる。
【０１６２】
また、上記反対面側に設置される光学的画像情報発生装置１２によって、光制御フィルム４の光散乱機能を発現しうる上記特定の照射角度から画像を光制御フィルム４に照射し、光制御フィルム４の表面に画像を直接結像させることから、光制御フィルム４の形状によってプラテンガラス２の表面に情報を表す必要がない。
【０１６３】
光制御フィルム４の形状によって情報を表す場合には、表示できる情報は光制御フィルム４の形状に限定されるため、情報量を増やす場合にはプラテンガラス２中の光制御フィルム４を備える範囲を増やさなければならない。
【０１６４】
しかし、原稿読取装置用表示装置１では光制御フィルムに画像を結像させることから、照射する画像自体の大きさ、又は画像の内容自体を切り替えるなどしさえすれば、限られた範囲内でも自由にプラテンガラス２の表面に表示する情報量を増やすことが可能である。
【０１６５】
つまり、原稿９の載置時の位置決めを手助けするための原稿９の位置決め用基準マークをはじめ、読み取り作業に伴う様々な画像を光制御フィルム４に結像し、プラテンガラス２の表面に表示することも可能となる。
【０１６６】
また、光制御フィルム４は、特定の角度から入射する入射光に対しては可視光領域全体の波長にわたって光の波長を散乱させるものである。
【０１６７】
よって、垂直方向から入射する入射光は透過し、特定の角度から入射する入射光に対しては散乱させる光制御フィルム４の機能は、可視光領域全体の波長にわたって等しく作用することが可能である。
【０１６８】
従って、光学的画像情報発生装置１２から照射する画像をフルカラーにした場合、光制御フィルム４によって可視光領域全体の波長の光が散乱されるので、光制御フィルム４に可視光領域のすべての波長の光が結像される。
【０１６９】
つまり、フルカラーの画像が光制御フィルム４に結像されることになる。よって、フルカラーの画像をプラテンガラス２の表面に表示することも可能になる。
【０１７０】
また、光制御フィルム４の表面が可視光の干渉を生じないことから、原稿９に対して垂直な方向から原稿９の読み取り光によって原稿９の読み取りを行う場合に、読み取り光に可視光を用いても光制御フィルム４によって可視光の干渉が生じない。
【０１７１】
上述の特許文献３の課題についての記載中で示した通り、可視光の干渉が生じる場合には、干渉された波長の光に該当する色を原稿９から読み取ることができないことから、可視光の干渉が生じないということはフルカラーの原稿９を正確に読み取ることができることを意味する。
【０１７２】
つまり、原稿読取装置用表示装置１はフルカラーの原稿９の読み取りに支障をきたさない。
【０１７３】
その結果、原稿９の載置時の位置決めを手助けするための原稿９の位置決め用基準マークをはじめ、読み取り作業に伴う様々な情報をプラテンガラス２表面に明瞭にフルカラーで表示することが可能であると共に、原稿９の位置確認作業を容易に行うことが可能なフルカラーの原稿９の読み取りに支障をきたさない原稿読取装置用表示装置１を提供することができる。
【０１７４】
さらに付加機能として、原稿９読み取り時の光学キャリッジ６の原稿走査光のうち、オペレータＰの視点方向の光のみがプラテンガラス２に貼り付けられた光制御フィルム４によって拡散されることから、オペレータＰは原稿９の読み取り光を直接目にすることがない。よって、オペレータＰの目が原稿９の読み取り光によって痛められることがない。
【０１７５】
また、少なくとも原稿９を複写する処理の設定、又は原稿９のプラテンガラス２上への載置状態を検出する検出部１４と、少なくとも原稿を複写する処理、又は原稿のプラテンガラス２上への載置に関連した画像のデータを保持するデータ格納部１５と、検出部１４によって検出された結果に応じた上記画像情報を上記データ格納部１５から選択し、選択した上記画像を光学的画像情報発生装置１２から照射させる画像選択部１６とを含む表示制御部５を備えている。
【０１７６】
これにより、検出部１４によって検出される少なくとも原稿９を複写する処理の設定、又は原稿９のプラテンガラス２上への載置状態に応じた画像が、画像選択部１６によってデータ格納部１５に保持されている画像の中から選択され、光学的画像情報発生装置１２によって照射される。
【０１７７】
よって、少なくとも原稿９を読み取る処理の設定、又は原稿９のプラテンガラス２上への載置状態に応じた画像を光制御フィルム４に結像し、プラテンガラス２表面に表示できる。
【０１７８】
従って、プラテンガラス２を目の前にして読み取り作業を行うオペレータＰは、プラテンガラス２の表面に載置した原稿９に重ねて、少なくとも原稿を読み取る処理の設定、又は原稿９のプラテンガラス２上への載置状態に応じた画像を認識することが可能となる。
【０１７９】
その結果、原稿読取装置の操作と実際の原稿９の読み取り処理との対応付けが明確となるだけではなく、原稿９そのものと相対した読み取りに関する作業情報が得られるため、読み取り時の誤操作を極力防ぐことが可能となる。
【０１８０】
また、データ格納部１５は、少なくとも原稿９を載置すべき位置、原稿９の載置に誤りがあった場合の警告、原稿９の正しい載置方法の表示、又は連続画像読み取り時の原稿９の読み取り枚数の情報を含むデータを有している。
【０１８１】
これにより、少なくとも原稿９を載置すべき位置、原稿９の載置に誤りがあった場合の警告、原稿９の正しい載置方法の表示、又は連続画像読み取り時の原稿９の読み取り枚数の情報を含む画像をプラテンガラス２表面に表示できる。
【０１８２】
よって、プラテンガラス２を目の前にして複写作業を行うオペレータＰは、プラテンガラス２の表面に載置した原稿９に重ねて、少なくとも原稿９を載置すべき位置、原稿９の載置に誤りがあった場合の警告、原稿９の正しい載置方法の表示、又は連続画像読み取り時の原稿９の読み取り枚数の情報を認識することが可能となる。
【０１８３】
その結果、原稿読取装置の操作と実際の原稿９の読み取り処理との対応付けが明確となるだけではなく、原稿９そのものと相対した読み取りに関する作業情報が得られるため、複写時の誤操作を極力防ぐことが可能となる。
【０１８４】
〔実施の形態２〕
本発明の他の実施の形態について図６に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１８５】
本実施の形態の原稿読取装置用表示装置２１は、前記実施の形態１の原稿読取装置用表示装置１の構成に対して光学的画像情報発生装置１２としてレーザー光源２２を用いたことと、レーザー光源２２を用いるために必要な光学系を加えたこと以外は同一の構成である。
【０１８６】
つまり、図６に示すように、原稿読取装置用表示装置２１はレーザー光源２２、コリメートレンズ２３、シリンドリカルレンズ２４、水平スキャン用ポリゴンミラー２５、及び垂直スキャン用ポリゴンミラー２６等から構成される光学系を備えている点で原稿読取装置用表示装置１と異なっている。
【０１８７】
また、コリメートレンズ２３は、ビームを拡大し平行光化するレンズであり、シリンドリカルレンズ２４は、楕円形となる入射光の形状を真円形状に整形するためのレンズである。
【０１８８】
そして、水平スキャン用ポリゴンミラー２５、及び垂直スキャン用ポリゴンミラー２６は、周囲に一連の平面反射面を持った回転部材であってスキャンしながらプラテンガラス２の全面に向かってレーザー光源２２からのビームを反射・投影するために用いられるミラーである。
【０１８９】
次に、原稿読取装置用表示装置２１での画像の表示の手順を説明する。
【０１９０】
まず、レーザー光源２２から照射されたビームは、コリメートレンズ２３とシリンドリカルレンズ２４によって、レーザーの断面形状が真円の平行光となる。
【０１９１】
続いて、水平スキャン用ポリゴンミラー２５、垂直スキャン用ポリゴンミラー２６によってプラテンガラス２の全体を上記ビームによってスキャン可能な状態となる。
【０１９２】
そして、プラテンガラス２の全体を上記ビームによって順次スキャンしながら表示情報のビットマップデータから輝点となる座標位置で上記ビームを点灯させることによって、プラテンガラス２の表面に任意の画像を描くことが可能となる。
【０１９３】
なお、レーザー光源２２としてＲＧＢ３原色のものを用いても良く、この構成によってフルカラー画像をプラテンガラス上に表示することが可能となる。
【０１９４】
また、レーザー光源２２を用いているため、光照射に伴う発熱が小さく排熱処理に要する部材の設置も不要になるため、周辺機構を含めた光学的画像情報発生装置１２を小型に構成できる。
【０１９５】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９６】
以上のように、本発明の原稿読取装置用表示装置は、原稿の読み取り作業に伴う様々な情報をプラテンガラス表面の全面に対して明瞭に表示することが可能であると共に、原稿の位置確認作業を容易に行うことが可能なカラー原稿の読み取りに支障をきたさない原稿読取装置用表示装置を提供する。したがって、本発明は読取部を備えた装置に好適に用いることができる。
【図面の簡単な説明】
【０１９７】
【図１】本発明における原稿読取装置用表示装置の実施の一形態の概要を示す断面図である。
【図２】上記原稿読取装置用表示装置の表示制御部の構成を示す図である。
【図３】上記原稿読取装置用表示装置の要部の斜視図である。
【図４】上記原稿読取装置用表示装置の光制御素子の機能を説明する図である。
【図５】上記原稿読取装置用表示装置の動作フローを説明するフローチャートの一部を示す図である。
【図６】本発明における原稿読取装置用表示装置の他の実施の形態を示す断面図である。
【符号の説明】
【０１９８】
１    原稿読取装置用表示装置
２    プラテンガラス（原稿台ガラス）
３ａ  原稿スケール
３ｂ  原稿スケール
４    光制御フィルム（光制御素子）
５    表示制御部（表示制御手段）
６    光学キャリッジ（読取手段）
７    視野角度
８    箱型ケーシング
９    原稿
１０    表示情報
１１    オペレータの有効視野角度
１２    光学的画像情報発生装置（画像情報発生手段）
１３    投影画像反射鏡
１４    検出部（検出手段）
１５    データ格納部（データ格納手段）
１６    画像選択部（画像選択手段）
２０    プラテンガラスカバー
２１    原稿読取装置用表示装置
２２    レーザー光源
Ｐ    オペレータ
【図１】
2007096959.tif 000003
【図２】
2007096959.tif 000004
【図３】
2007096959.tif 000005
【図４】
2007096959.tif 000006
【図５】
2007096959.tif 000007
【図６】
2007096959.tif 000008